(57)【特許請求の範囲】
【請求項１】
足場に取り付けられるブラケットと、当該ブラケットに取り付けられる手摺バーとを有する仮設手摺であって、
前記ブラケットは、前記足場から建物側に向かって延びる一対の単管と、当該単管間を連結する少なくとも１つ以上の連結管と、前記各単管の足場側端部に設けられ、当該各単管端部を前記足場に取り付けるクランプと、前記各単管の建物側端部に設けられるロックピンとを有し、
前記手摺バーは、棒状のバー本体の両端に、前記ロックピンに差し込まれる取付穴を有し、
前記ロックピンは、スプリング式のグラビティロックまたは先折れ式のグラビティロックからなると共に、前記各単管の建物側端部に螺合されるボルトの頭部にこれと同軸となるように溶接されていることを特徴とする仮設手摺。
【発明の詳細な説明】
【技術分野】
【０００１】
本発明は、建設現場等に設置される作業用足場に取り付けられる仮設手摺に関するものである。
【背景技術】
【０００２】
一般に、ビルやマンション、一般家屋などの建設時や補修工事などの際には、その建物を囲むように鉄骨製の作業用足場が組み立てられる。この作業用足場は、仮設の作業床およびこれを支持する仮設物からなっており、その構造によって単管足場や枠組足場、くさび緊結式足場などがある。そして、これらは設置する敷地の状態、コスト、建物や作業の規模などに応じて最適なものが選択して用いられる。
【０００３】
このような作業用足場にあっては、作業性に優れ、かつ組み立てや撤去作業が容易であるだけでなく、突風で倒れたり、作業員が誤って転落することのないように高い安全性が求められている。特に、作業員の転落防止のためには、安全帯の使用義務だけでなく、例えば、以下の特許文献１乃至４などに示すように足場枠に対して交差筋交いの他に、手摺や中桟、幅木、メッシュシートなどを取り付けるようにしている。また、高層足場の組み立てに際しては、以下の特許文献５などに示すような、安全性の高い手摺先行工法が推奨されている。
【０００４】
ところで、このような作業用足場と建物外壁との間には、作業性を確保すべく一定の隙間（例えば３０〜４０ｃｍ程度）が生じている。そのため、特に手摺がない建物と足場との間に大きな隙間が生じ、足場や建物（屋上）側にいる作業員がこの隙間へ転落するのを防止するための仮設の手摺が必要となってくる。そこで、本発明者は以下の特許文献６に示すように、足場側から建物側に延びるように組み付けられる簡易手摺の組み付け作業および撤去作業を容易かつ確実に行える新規な簡易手摺ブラケットを提案している。
【先行技術文献】
【特許文献】
【０００５】
【特許文献１】特開平１１−３６６０４号公報
【特許文献２】特開２００２−１８８２８２号公報
【特許文献３】特開２００２−２０６３３６号公報
【特許文献４】特開２００２−２２０９２６号公報
【特許文献５】特開２０１２−１３２１５７号公報
【特許文献６】登録実用新案第３１８６６２５号公報
【発明の概要】
【発明が解決しようとする課題】
【０００６】
ところで、特許文献６に示すような簡易手摺ブラケットは、クランプによって防護用の単管を保持するような構成となっているため、その脱着に際しては、その都度工具を用いてクランプのボルト及びナットを締め付け・緩める作業が必要となるため、その数が多くなるにつれてその脱着に多くの時間と手間を要する。
【０００７】
そこで、本発明はこれらの課題を解消すべく案出されたものであり、その目的は、設置除去作業を簡単に行える新規な仮設手摺を提供することにある。
【課題を解決するための手段】
【０００８】
前記課題を解決するために第１の発明は、足場に取り付けられるブラケットと、当該ブラケットに取り付けられる手摺バーとを有する仮設手摺であって、前記ブラケットは、前記足場から建物側に向かって延びる一対の単管と、当該単管間を連結する少なくとも１つ以上の連結管と、前記各単管の足場側端部に設けられ、当該各単管端部を前記足場に取り付けるクランプと、前記各単管の建物側端部に設けられるロックピンとを有し、前記手摺バーは、棒状のバー本体の両端に、前記ロックピンに差し込まれる取付穴を有することを特徴とする仮設手摺である。
【０００９】
このような構成によれば、各クランプを足場の支柱などに取り付けるだけで、ブラケットを容易かつ確実に足場に取り付けることができる。また、ブラケットの端部に設けられるロックピンにバー本体の両端に設けられた取付穴を差し込むだけで簡単に手摺バーをブラケットに取り付けることができる。また、このロックピンを解除してバー本体をロックピンから抜き出すだけで簡単に手摺バーを取り外すことができる。
【００１０】
第２の発明は、第１の発明において、前記ブラケットは、足場から建物側に向かって延びる一対の第１単管と、当該第１単管間を連結する少なくとも１つ以上の第１連結管と、前記各第１単管の足場側端部に設けられ、当該各第１単管端部を足場に取り付ける第１クランプとからなる第１フレームと、前記建物から足場側に向かって互いに平行に延びると共に、足場側端部が前記第１単管の建物側端部を挿入または挿入される一対の第２単管と、当該第２単管間を連結する少なくとも１つ以上の第２連結管と、前記各第２単管の建物側端部に設けられるロックピンとを有することを特徴とする仮設手摺である。
【００１１】
このように構成によれば、第１の発明と同様な効果に加え、第１フレームに対して第２フレームがスライド自在に移動可能となるため、足場側からブラケットで支持する手摺バーの距離を自由に調整することができる。
【００１２】
第３の発明は、第１または第２の発明において、前記各単管の建物側端部に筒状体を回転自在に嵌装し、当該筒状体の側面に、手摺バーを取り付ける手摺用クランプを備えたことを特徴とする仮設手摺である。このような構成によれば、ロックピンのみならず、手摺用クランプを用いて手摺バーを取り付けることができる。
【００１３】
第４の発明は、第１乃至第３の発明において、前記ロックピンは、スプリング式のグラビティロックまたは先折れ式のグラビティロックであることを特徴とする仮設手摺である。このようにスプリング式のグラビティロックまたは先折れ式のグラビティロックを用いれば、バー本体の取付穴に差し込むだけで簡単に取り付けることができると共に、ロックされた状態となるため、勝手に手摺バーが外れてしまうようなことがない。また、ロックを解除するだけで簡単に手摺バーを取り外すことができる。
【００１４】
第５の発明は、第４の発明において、前記ロックピンは、前記各単管の建物側端部に螺合されるボルトの頭部にこれと同軸となるように溶接されていることを特徴とする仮設手摺である。このような構成によれば、市販のロックピンを用い、これを市販のボルトに溶接して各単管の建物側端部に螺合することで低コストで製作することができる。
【発明の効果】
【００１５】
本発明に係る仮設手摺によれば、以下に示すような優れた効果を発揮する。
（１）ブラケットの端部に設けられるロックピンにバー本体の両端に設けられた取付穴を差し込むだけで簡単に手摺バーをブラケットに取り付けることができる。また、このロックピンを解除してバー本体をロックピンから抜き出すだけで簡単に手摺バーを取り外すことができる。
（２）第１フレームに対して第２フレームがスライド自在に移動可能となるため、足場側から支持する簡易手摺の距離を自由に調整することができる。
（３）手摺用クランプを備えることで、ロックピンのみならず、手摺用クランプを用いて手摺バーを取り付けることができる。
（４）スプリング式のグラビティロックまたは先折れ式のグラビティロックを用いることにより、バー本体の取付穴に差し込むだけで簡単に取り付けることができると共に、ロックされた状態となるため、勝手に手摺バーが外れてしまうようなことがない。また、ロックを解除するだけで簡単に手摺バーを取り外すことができる。
（５）各単管の建物側端部に螺合されるボルトの頭部にこれと同軸となるようにロックピンを溶接することにより、市販のロックピンと市販のボルトを用いることができるため、低コストで製作することができる。
【図面の簡単な説明】
【００１６】
【図１】本発明に係る仮設手摺１００の実施の一形態を示す側面図である。
【図２】図１中Ｓ部を示す部分拡大図である。
【図３】等間隔に取り付けられたブラケット１１０に手摺バー１２０を取り付ける状態を示す平面図である。
【図４】（Ａ）は手摺バー１２０を示す正面図、（Ｂ）はその平面図である。
【図５】（Ａ）乃至（Ｃ）はスプリング式のロックピン（グラビティロック）３１の構造および作用を示す断面図である。
【図６】ロックピン３１に手摺バー１２０を取り付ける状態を示す斜視図である。
【図７】（Ａ）はブラケット１１０を延ばした状態を示す側面図、（Ｂ）はブラケット１１０を縮めた状態を示す側面図である。
【図８】（Ａ）は先折れ式のロックピン（グラビティロック）３１の構造を示す平面図、（Ｂ）はその構造および作用を示す断面図である。
【図９】本発明に係る仮設手摺１００の他の実施の形態を示す側面図である。
【図１０】本発明に係る仮設手摺１００の他の実施の形態を示す側面図である。
【図１１】本発明に係る仮設手摺１００の他の実施の形態を示す側面図である。
【図１２】本発明に係る仮設手摺１００の他の実施の形態を示す側面図である。
【発明を実施するための形態】
【００１７】
次に、本発明の実施の一形態を添付図面を参照しながら説明する。図１は、本発明に係る仮設手摺１００の実施の一形態を示す側面図で、図２は、図１中Ｓ部を示す部分拡大図、図３は、本発明に係る仮設手摺１００の実施の一形態を示す平面図である。図示するようにこの仮設手摺１００は、作業用足場２００に取り付けられる井桁状のブラケット１１０と、このブラケット１１０に取り付けられる棒状の手摺バー１２０とから構成されている。
【００１８】
ブラケット１１０は、作業用足場２００から建物３００の屋上側に向かって互いに平行（水平）に延びる上下一対の第１単管１０，１０と、これら第１単管１０，１０間を連結する１つの第１連結管２０とからなるＨ字形の第１フレームＦ１と、前記各単管１０，１０内に挿入される一対の第２単管１１，１１と、これら第２単管１１，１１間を連結する１つの第２連結管２１とからなるＨ字形の第２フレームＦ２とから構成されている。
【００１９】
第１フレームＦ１の第１単管１０，１０の足場２００側端部には、それぞれ足場用クランプ３０，３０が設けられており、作業用足場２００の支柱２１０に対して第１フレームＦ１を縦方向に着脱自在に取り付けるようになっている。なお、この作業用足場２００は、例えばくさび緊結式足場などであり、少なくとも垂直に延びる複数の支柱（垂直単管）２１０と、これら各支柱間を水平に連結する足場側手摺（水平単管）２２０と、図示しない足場板を支柱２１０側に支持する足場ブラケット２３０などを有している。
【００２０】
一方、第２フレームＦ２の第２単管１１，１１の建物３００側端部には、それぞれロックピン３１，３１が設けられており、棒状の手摺バー１２０，１２０をそれぞれ保持するようになっている。この手摺バー１２０，１２０は、図４に示すように例えば長さが約１８００ｍｍ、外径が１５〜３０ｍｍ程度の金属パイプからなるバー本体１２１の両端部をそれぞれ平板状に加工し、その平板部分に円形の取付穴１２２，１２２を形成した構造となっている。
【００２１】
ロックピン３１は、例えばスプリング式のグラビティロックから構成されており、手摺バー１２０の取付穴１２２に挿入されるようになっている。すなわち、このロックピン３１は、図５（Ａ）および図６（Ａ）に示すように筒状をしたピン本体３１ａの側面に爪３１ｂを設け、この爪３１ｂをコイルバネ３１ｃによりピン本体３１ａの側面に形成されたスリット３１ｄから出没自在に構成したものである。
【００２２】
そして、図５（Ｂ）に示すように手摺バー１２０の取付穴１２２に挿入するときには爪３１ｂがピン本体３１ａ内に没し、これを通過した後は、図５（Ｃ）および図６（Ｂ）に示すように爪３１ｂが突出して手摺バー１２０が勝手に抜け落ちないような構造となっている。なお、この状態から指で爪３１ｂをピン本体３１ａ内に押し込んだまま手摺バー１２０を引き抜くことで簡単に手摺バー１２０を取り外すことができる。
【００２３】
また、図１および図２に示すようにこの第２単管１１，１１の建物２００側端部には、金属製の筒状体４０が回転自在に嵌装されると共に、この筒状体４０には、手摺用クランプ３２，３２がそれぞれ設けられている。また、図１に示すように、第１フレームＦ１の第１単管１０，１０の一方には、止めネジ５０の先端を第１単管１０に対してその径方向にねじ込むための固定ナット５１が設けられている。
【００２４】
そして、例えば図１に示すように、このような構成をした本発明の仮設手摺１００を少なくとも２つ以上用意し、それぞれのブラケット１１０の第１フレームＦ１側の足場用クランプ３０，３０を作業用足場２００の支柱２１０に取り付けた後、第２フレームＦ２側のロックピン３１，３１にそれぞれ手摺バー１２０，１２０を保持するように取り付ければ、作業用足場２００側から建物３００側に延びるように上下一対の手摺バー１２０，１２０を容易かつ迅速・確実に取り付けることができる。
【００２５】
すなわち、従来、図示するような単管製の手摺４００、４００を足場２００に取り付けるためには、複数の単管を用意し、これらをクランプを用いてブラケットに取り付けるといった作業が必要であるが、本発明の仮設手摺１００を用いれば、作業用足場２００側にブラケット１１０を取り付けた後、建物３００側に位置するロックピン３１に手摺バー１２０，１２０を差し込むだけで簡単かつ確実に手摺バー１２０，１２０を取り付けることができる。
【００２６】
これにより、工具などを用いることなく手摺バー１２０，１２０を取り付けることができるため、作業用足場２００に対する仮設手摺１００の組み付け作業を迅速に行うことができる。また、撤去時は、手摺バー１２０，１２０をロックピン３１から引き抜いた後、各足場用クランプ３０，３０を取り外すだけで済むため、その撤去作業も簡単かつ迅速に行うことができる。
【００２７】
また、図７に示すようにブラケット１１０の第１フレームＦ１の止めネジ５０を緩めれば、第１フレームＦ１に対して第２フレームが挿脱（スライド）自在に移動できるため、現場毎に異なる足場２００と建物３００との距離に応じて適宜最適な距離に調整することができる。そして、調整後はその止めネジ５０を締め込めば、調整後の位置関係を維持できるため、その距離（長さ）がずれるのを確実に防止することができる。
【００２８】
また、第２フレームＦ２側にはロックピン３１，３１と共に、回転自在な手摺用クランプ３２，３２を設けたため、この手摺用クランプ３２，３２に従来のような単管の簡易手摺を取り付けることも可能となる。特に、ブラケット１１０の取り付け間隔が規定よりの大きかったり，小さかったりした場合には、取付穴１２２，１２２間の距離は一定の手摺バー１２０を取り付けることができないため、この手摺用クランプ３２，３２は有用となる。また、この手摺用クランプ３２，３２を筒状体４０を介して回転自在に取り付けることにより、単管手摺の間隔や取り付け高さなども自由に変えることができる。
【００２９】
例えば、図１に示すような状態の手摺用クランプ３２，３２に単管手摺を取り付ければ、単管手摺間の距離が最も大きくなり、反対に下側の手摺用クランプ３２をその第２単管１１の上方に回転移動させると共に、上側の手摺用クランプ３２をその第２単管１１の下方に回転移動させた状態で単管手摺を取り付ければ、その手摺間の距離を最も小さくすることができる。さらに、ロックピン３１，３１と組み合わせて用いれば、手摺バー１２０，１２０の取り付け高さなども容易に調整することができる。
【００３０】
なお、このように本発明の仮設手摺１００があれば、図１に示すように足場２００と建物３００との間に例えば３０〜４０ｃｍ程度の隙間があった場合でも、作業員が足場２００と建物３００間を安全かつ容易に移動することができる。また、建物３００側の作業員がうっかり足場２００と建物３００との間から転落するような事故も未然に防止することができる。
【００３１】
また、ロックピン３１は、図５に示したようなスプリング式のグラビティロックの他に図８に示すような先折れ式のグラビティロックであっても良い。すなわち、この先折れ式のグラビティロックは、ピン本体３１ｇの先端にスリット３１ｅを形成し、そのスリット３１ｅ内にピン本体３１ｇよりも大きいロック片３１ｆを偏心させて軸支したものであり、同図（Ｂ）に示すようにこのロック片３１ｆを指で回転操作させることで手摺バー１２０，１２０を簡単に着脱すると共に、取り付け後に勝手に外れたりするのを確実に防止できる。
【００３２】
次に、図９乃至図１１は、本発明に係る仮設手摺１００の他の実施形態を示したものである。先ず図９は、第１フレームＦ１側の足場用クランプ３０、３０の向きを前記第１の実施形態の向きに対して９０°回転させて取り付けたものである。このような構成にすれば、足場用クランプ３０、３０を足場２００側の手摺（水平単管）２２０に対して上下に取り付けることができるため、支柱２１０がない位置にも取り付けることができ、支柱２１０位置以外の位置からも手摺バー１２０，１２０を支持することができる。
【００３３】
次に、図１０は、第１フレームＦ１側の足場用クランプ３０、３０を第１単管１０，１０の軸を中心として回転自在に取り付けたものである。このような構成にすれば、足場用クランプ３０、３０を足場２００側の支柱２１０だけでなく手摺（水平単管）２２０にも取り付けることができるため、使い勝手がより向上する。すなわち、垂直に位置する足場２００の支柱２１０に対して足場用クランプ３０、３０を取り付けるためには、足場用クランプ３０、３０の軸を支柱２１０の軸と一致するように回転させることで全体の姿勢を変えることなく、支柱２１０に容易に取り付けることができる。
【００３４】
一方、それぞれ水平に位置する足場２００の上下の足場側手摺２２０，２２０に対して足場用クランプ３０、３０を取り付けるためには、その足場用クランプ３０、３０の軸を足場側手摺２２０，２２０の軸と一致するようにを９０°回転させることで全体の姿勢を変えることなく、足場側手摺２２０，２２０に容易に取り付けることができる。
【００３５】
また、図１１に示すようにブラケット１１０を第１フレームＦ１のみで構成すれば、構造がよりシンプルとなり、軽量化が図れると共に、製作コストを低く抑えることも可能となる。また、本実施の形態では、第１フレームＦ１および第２フレームＦ２ともに内部中空の単管で構成したが、中実のロッド状（棒状）のものであっても良く、さらのその材質は、十分な強度を有するものであれば金属（鋼管）に限るものでなく、ビニール管やガラス繊維強化プラスチック、木製などであっても良い。
【００３６】
また、本実施の形態では、本発明に係る仮設手摺１００をくさび緊結式足場に取り付ける例で説明したが、足場用クランプ３０，３０を取り付ける単管を有する構成であれば、単管足場や枠組足場の他、移動式足場などといった、あらゆる足場に容易に適用できる。さらに、図１２に示すようにブラケット１１０を、一対の足場用クランプ３０、３０と、コ字形のブラケット１１０と、一対のロックピン３１，３１のみで構成すれば、よりシンプルな構造になって更なる軽量化及び製造コストの削減も可能となる。
【符号の説明】
【００３７】
１００…仮設手摺
１１０…ブラケット
１２０…手摺バー
１２１…バー本体
１２２…取付穴
２００…作業用足場
２１０…支柱
２２０…足場用手摺
２３０…足場用ブラケット
３００…建物
１０…第１単管
１１…第２単管
２０…第１連結管
２１…第２連結管
３０…足場用クランプ
３１…ロックピン（グラビティロック）
３２…手摺用クランプ
４０…筒状体
５０…止めネジ
５１…固定ナット
Ｆ１…第１フレーム
Ｆ２…第２フレーム
【図１】
0006616633.tif 000002
【図２】
0006616633.tif 000003
【図３】
0006616633.tif 000004
【図４】
0006616633.tif 000005
【図５】
0006616633.tif 000006
【図６】
0006616633.tif 000007
【図７】
0006616633.tif 000008
【図８】
0006616633.tif 000009
【図９】
0006616633.tif 000010
【図１０】
0006616633.tif 000011
【図１１】
0006616633.tif 000012
【図１２】
0006616633.tif 000013